(57)【要約】      （修正有）【課題】工事現場や祭会場等の仮設照明に使用するのに便利なＬＥＤ照明器具であって、壊れにくく、多数のＬＥＤ照明器具の縦続接続が容易なＬＥＤ照明器具を提供する。【解決手段】プラス、マイナス電源を供給する２本の電源線を配した細長い矩形板状の配線基板と、ＬＥＤと抵抗を直列接続した発光体６で構成する。複数の発光体６は電源線から電源供給を受けて発光するように配線基板上に並列接続で取り付け、配線基板の両端外側には各２個のコネクタ電極を備える同形状の一対のコネクタ３を配する。電源線は一対のコネクタ３の一方から電源供給を受け、両端コネクタ３の同じコネクタ電極間には専用の電源配線を張り渡す。【選択図】図１
0003186121.tif 000002
【実用新案登録請求の範囲】
【請求項１】
細長い発光源を有するＬＥＤ照明器具であって、
プラス、マイナス電源を供給する２本の電源線を配した細長い矩形板状の配線基板と、
ＬＥＤと抵抗を直列接続した発光体であって前記電源線から電源供給を受けて発光するように前記配線基板上に並列接続で取り付けた複数の発光体と、
各２個のコネクタ電極を備え前記配線基板の両端外側に配置された同形状の一対のコネクタと、を備えて構成され、
前記電源線は前記一対のコネクタの一方から電源供給を受け、前記両端のコネクタの同じコネクタ電極間には専用の電源配線が張り渡してあることを特徴とするＬＥＤ照明器具。
【考案の詳細な説明】
【技術分野】
【０００１】
本考案は、ＬＥＤ（発光ダイオード）を搭載した照明器具であって、従来の直管式蛍光灯と同じように長手方向に細長い発光源を有するＬＥＤ照明器具に関する。
【背景技術】
【０００２】
照明用の光源としてしては直管型の蛍光灯が長く主流であったが、近年、省エネ及び寿命の観点から直管内に発光源としてＬＥＤを配置した直管型のＬＥＤ照明灯が開発された。この直管型ＬＥＤ照明灯は、ガラスや樹脂で形成した細長い円筒状透光管の内部に多数のＬＥＤを搭載した回路基板を挿入したものである。従来の直管型蛍光灯と互換性をもたせる場合は、回路基板上にＬＥＤを発光させる点灯回路も搭載し、透光管の両端部に従来の蛍光管と同じ口金を取り付ける（例えば、特許文献１、２参照）。
【０００３】
このような直管型ＬＥＤ照明灯は、従来の直管式蛍光灯と互換性があって室内照明には
使い勝手が良い。しかし、このような直管型ＬＥＤ照明灯をトンネル工事、上下水道工事、橋梁架設工事等の工事現場、祭などの催し物会場おける仮設照明に使用するには問題がある。ガラスや樹脂製の円筒状透光管はこうした場所では壊れやすい。また、こうした場所では多数の照明灯が必要であるが、互換性のある直管型ＬＥＤ照明灯ではそれらへの電源供給に困難が伴う。家庭内で使用される従来の直管式蛍光灯には安定器を通した電源が供給されており、完全な互換性を確保するには直管型ＬＥＤ照明灯にも安定器を通した電源を供給する必要があり、安定器を備えた多数の取り付け具を必要とする。
【先行技術文献】
【特許文献】
【０００４】
【特許文献１】特開２０１１−１６５６３４号公報
【特許文献２】実用新案登録第３１４２６５２号公報
【考案の開示】
【考案が解決しようとする課題】
【０００５】
本考案は、従来技術のこうした問題点を解決するためになされたもので、その課題は工事現場や祭会場等の仮設照明に使用するのに適したＬＥＤ照明器具であって、壊れにくく、多数のＬＥＤ照明器具への電源供給が容易なＬＥＤ照明器具を提供することにある。
【課題を解決するための手段】
【０００６】
前記課題を解決するための請求項１に記載の考案は、細長い発光源を有するＬＥＤ照明器具であって、プラス、マイナス電源を供給する２本の電源線を配した細長い矩形板状の配線基板と、ＬＥＤと抵抗を直列接続した発光体であって電源線から電源供給を受けて発光するように配線基板上に並列接続で取り付けた複数の発光体と、各２個のコネクタ電極を備えて配線基板の両端外側に配置された同形状の一対のコネクタと、を備えて構成され、電源線は一対のコネクタの一方から電源供給を受け、両端のコネクタの同じコネクタ電極間には専用の電源配線が張り渡してあることを特徴とするＬＥＤ照明器具である。
【０００７】
このような構成によれば、左右のコネクタ間に専用の電源配線が張り渡してあることからその電源配線に太めの電線を使用できる。このため多数のＬＥＤ照明器具を配線ケーブルを中間に介して縦続接続する場合に、その太めの電源配線を通して下流側の多数のＬＥＤ照明器具に大電流を供給できる。また、ＬＥＤ照明器具の左右のコネクタは同一、対称であることから２個のＬＥＤ照明器具を縦続接続する際の間の配線ケーブル両端のコネクタにも同一、対称なコネクタを使用できる。このため多数のＬＥＤ照明器具を配線ケーブルを使用して縦続接続する際、ＬＥＤ照明器具、配線ケーブルの左右のコネクタが雄、雌のどのタイプかを気にする必要はなく、縦続接続作業を容易に行なうことができる。更に、発光部がガラス管や樹脂管の中に封入していないため少し位の衝撃では壊れない利点も有する。
【図面の簡単な説明】
【０００８】
【図１】本考案に係るＬＥＤ照明器具１の発光面側の外観図である。
【図２】ＬＥＤ照明器具１の背面側の外観図である。
【図３】ＬＥＤ照明器具１の接続図である。
【図４】発光体６が取り付けられた部分の縦断面図である。
【図５】ＬＥＤ４と抵抗５の配線基板９上への取り付け状態を示す平面図である。
【図６】２個のＬＥＤ照明器具１間を繋ぐ配線ケーブル２５の外観図である。
【図７】配線ケーブル２５とＬＥＤ照明器具１の接続状態を示す図である。
【考案を実施するための形態】
【０００９】
以下、本考案に係るＬＥＤ照明器具の一実施形態について図面を参照して説明する。図１は本考案に係るＬＥＤ照明器具１の発光面側の外観図、図２はその背面側の外観図である。ＬＥＤ照明器具１は、照明本体部２とその両端外側に配置した一対のコネクタ３とを備えて構成される。照明本体部２は断面が略矩形で細長形状をしている。長さは約６５０ｍｍである。発光面側にはＬＥＤ（発光ダイオード）４と抵抗５の直列接続回路からなる発光体６が６０個、等間隔で取り付けてある。
【００１０】
図３はＬＥＤ照明器具１の電気的な接続図である。両端外側の一対のコネクタ３は同一形状、同一構成のコネクタである。各コネクタ３は２個のコネクタ電極を有し、そのコネクタ電極は共に雄型、又は共に雌型、又は一方が雄型で他方が雌型である。左右のコネクタ３の同一位置にある２個のコネクタ電極間には２本の電源配線７ａ、７ｂが張り渡してある。この電源配線７ａ、７ｂは、専ら一方のコネクタ３に供給された電源を他方のコネクタ３に受け渡すためのものである。コネクタ電極が雄型と雌型の組み合わせである場合は、左右の雄型同士、雌型同士が電源配線７ａ、６ｂで接続される。
【００１１】
発光体６は６個のＬＥＤ（発光ダイオード）４と抵抗５を直列接続したもので、細長い配線基板９上に取り付けてある。配線基板９上には２本の電源配線１０ａ、１０ｂがプリント配線で設けられている。その電源配線１０ａ、１０ｂは一方のコネクタ３近くの電源配線７ａ、７ｂにリード線１３で接続してあり、そこからプラスとマイナスの電源供給を受ける。６０個の発光体６は電源配線１０ａ、１０ｂ間に並列に接続されている。
【００１２】
図４は発光体６が取り付けられている部分の縦断面図、図５は発光体６を構成するＬＥＤ４と抵抗５の配線基板９上への取り付け状態を示す平面図である。細長い配線基板９上には銅箔のプリント配線による電源配線１０ａ、１０ｂが張り渡してあり、その間にＬＥＤ４と抵抗５が直列接続で接続してある。電源配線１０ａ、１０ｂの基端部は２本のリード線１３で一方のコネクタ３近くの電源配線１０ａ、１０ｂに接続されている。配線基板９は断面凹型のアルミ製放熱器１５の内側に取り付けてある。電源配線１０ａ、１０ｂ、発光体６上には凹型アルミ製放熱器１５の両側上端の高さまで透明シリコン樹脂１６が充填されている。更に、粉塵や水の侵入を防ぐためアルミ製放熱器１５、透明シリコン樹脂１６、発光体６の表面全体を覆って透明なシリコン樹脂によるコーティング膜１８が形成してある。断面全体の横幅は１８ｍｍ、厚みは４ｍｍ程度である。
【００１３】
左右のコネクタ３を直接につなぐ２本の電源配線７ａ、７ｂは、図２に示すようにアルミ製放熱器１５の背面側に配したコルゲート電線管２０の中に通してある。コルゲート電線管２０は、数個所に配した結束バンド２１によりアルミ製放熱器１５に固定されている。また、照明本体部２の両端部には照明本体部２、コルゲート電線管２０、２本の電源配線７ａ、７ｂ、２本のリード線１３の全体を覆う透明な熱収縮チューブ２２が取り付けられ、端部からの粉塵や水の侵入を防いでいる。
【００１４】
本実施形態のＬＥＤ照明器具１は、多数の照明を必要とする工事現場などで使用することを想定したものである。多数のＬＥＤ照明器具１を接続して電源供給を行なうためには、縦続接続するＬＥＤ照明器具１間を図６に示すような配線ケーブル２５で繋ぐ。配線ケーブル２５は、両端にＬＥＤ照明器具１のコネクタ３に勘合するコネクタ２６が取り付けられ、その間が配線で接続してある。配線は保護のためコルゲート電線管２０に通すとよい。左右のコネクタ２６はＬＥＤ照明器具１のコネクタ３に対応して同一形状、対称なコネクタである。図７に示すように配線ケーブル２５のコネクタ２６をＬＥＤ照明器具１の一方のコネクタ３に勘合させ、ＬＥＤ照明器具１の他方のコネクタ３に別の配線ケーブル２５のコネクタ２６を勘合させる。この繰り返しにより多数のＬＥＤ照明器具１を縦続接続する。そして、最初の配線ケーブル２５のコネクタ２６に直流電源からプラス、マイナスの電源を供給する。これにより接続した全てのＬＥＤ照明器具１に電源が供給されて全ての発光体６が点灯する。
【００１５】
以上説明した本実施形態のＬＥＤ照明器具１では、左右のコネクタ３間に専用の電源配線７ａ、７ｂが張り渡してあり、一方のコネクタ３に供給された電源は自己消費分を除いてこの電源配線７ａ、７ｂを通って大部分が次のＬＥＤ照明器具１に受け渡されていく。この電源配線７ａ、７ｂはプリント配線ではなく専用の電線で構成されているので、電流容量の大きい太い電線を使用できる。工事現場などでは数十本のＬＥＤ照明器具１を必要とすることがある。数十本も接続した場合には直流電源に近いＬＥＤ照明器具１の電源配線には大電流が流れる。電源配線がプリント配線で構成されていたのではそうした大電流を流すことは不可能である。本実施形態のＬＥＤ照明器具１は電源配線７ａ、７ｂを太くして大電流を流すことが可能であるため、多数のＬＥＤ照明器具１の縦続接続を容易に行うことができる。
【００１６】
また、本実施形態のＬＥＤ照明器具１では左右のコネクタ３に同一、対称なコネクタを使用している。従って、配線ケーブル２５のコネクタ２６の左右のコネクタにも同一、対称なコネクタを使用できる。このため多数のＬＥＤ照明器具１を配線ケーブル２５を使用して縦続接続する際にＬＥＤ照明器具１、配線ケーブル２５の左右のコネクタが雄、雌のどの型かを気にかける必要がなく、縦続接続作業を容易に行なうことができる。更に、発光体６はガラス管や樹脂管の中に封入されていないため少し位の衝撃では壊れない利点も有する。
【符号の説明】
【００１７】
図面中、１はＬＥＤ照明器具、２は照明本体部、３はコネクタ、４はＬＥＤ、５は抵抗、６は発光体、７ａ、７ｂは電源線、９は配線基板、１０ａ、１０ｂは配線基板上の電源線、１３はリード線、１５は放熱器、２０はコルゲート電線管、２１は結束バンド、２２は透明熱収縮チューブ、２６はコネクタを示す。
【図１】
0003186121.tif 000003
【図２】
0003186121.tif 000004
【図３】
0003186121.tif 000005
【図４】
0003186121.tif 000006
【図５】
0003186121.tif 000007
【図６】
0003186121.tif 000008
【図７】
0003186121.tif 000009